(57)【特許請求の範囲】
【請求項１】
レンズユニットであって、
筒壁と前記筒壁によって囲まれて形成された係止溝とを含む鏡筒と、
前記係止溝に係合して固定され、外部光線が入射される一端のレンズが前記筒壁の端面から完全に突出されるレンズ群と、を含む、
ことを特徴とするレンズユニット。
【請求項２】
前記レンズ群は、間隔を空けて配置される第１レンズ群と第２レンズ群とを含み、前記第１レンズ群と前記第２レンズ群は、対応する係止溝にそれぞれ係合され、
外部光線は、前記第１レンズ群から前記第２レンズ群に入射され、前記第１レンズ群の少なくとも一部は、前記鏡筒の端面から突出される、
ことを特徴とする請求項１に記載のレンズユニット。
【請求項３】
前記第１レンズ群は、一つ又は複数のレンズを含み、前記第１レンズ群が複数のレンズを含む場合、前記複数のレンズは、外部光線の入射方向に沿って順次に接続される、
ことを特徴とする請求項２に記載のレンズユニット。
【請求項４】
前記第１レンズ群は、第１レンズと、前記第１レンズに接続される第２レンズとを含み、前記外部光線は、前記第１レンズから前記第２レンズに入射され、前記第２レンズは、
前記係止溝に係合して固定される、
ことを特徴とする請求項２に記載のレンズユニット。
【請求項５】
前記レンズ群は、順次に配列された複数のレンズを含み、前記複数のレンズのうち隣接して配列されるレンズの間は固定的に接続されている、
ことを特徴とする請求項１に記載のレンズユニット。
【請求項６】
前記レンズ群は、隣接するレンズを位置決めするために、前記レンズ群に含まれるレンズが光線の入射方向に沿って凹むことによって形成される陥凹部を含む、
ことを特徴とする請求項１〜５のいずれかに記載のレンズユニット。
【請求項７】
前記レンズ群に含まれる接続状態である隣接するレンズの間は、接着方式により接続される、
ことを特徴とする請求項１〜６のいずれかに記載のレンズユニット。
【請求項８】
前記レンズ群に含まれる少なくとも一つのレンズの縁部領域に付着され、余計な光線を遮断するための遮光層をさらに含む、
ことを特徴とする請求項１〜７のいずれかに記載のレンズユニット。
【請求項９】
レンズユニットの加工プロセスであって、
前記レンズユニットは、鏡筒とレンズ群とを含み、
前記加工プロセスは、
前記レンズ群を前記鏡筒内の係止溝に固定し、前記レンズ群の、外部光線が入射される一端のレンズを前記鏡筒の端面から完全に突出させるステップと、
前記レンズ群を消光処理し、レンズユニットを取得するステップと、を含む、
ことを特徴とするレンズユニットの加工プロセス。
【請求項１０】
前記レンズ群は、順次に配列された複数のレンズを含み、
前記レンズ群を前記鏡筒内の係止溝に固定するステップは、
隣接して配列されるレンズを接続して前記レンズ群を取得し、前記レンズ群を前記係止溝に固定するステップを含む、
ことを特徴とする請求項９に記載のレンズユニットの加工プロセス。
【請求項１１】
前記レンズ群は、間隔を空けて配置される第１レンズ群と第２レンズ群とを含み、外部光線は、前記第１レンズ群から前記第２レンズ群に入射され、
前記レンズ群を前記鏡筒内の係止溝に固定するステップは、
前記第２レンズ群を前記鏡筒内の対応する係止溝に固定するステップと、
前記第１レンズ群を前記鏡筒内の対応する係止溝に固定し、前記第１レンズ群の一部を前記鏡筒の端面から突出させるステップと、を含む、
ことを特徴とする請求項９に記載のレンズユニットの加工プロセス。
【請求項１２】
前記第１レンズ群が複数のレンズを含む場合、前記レンズ群を前記鏡筒内の係止溝に固定するステップは、
隣接して配列されるレンズを接続して前記第１レンズ群を取得するステップを含む、
ことを特徴とする請求項１１に記載のレンズユニットの加工プロセス。
【請求項１３】
隣接して配列されるレンズを接続するステップは、
隣接するレンズの対向設置された表面を接着剤によって接着するステップを含む、
ことを特徴とする請求項１０又は１２に記載のレンズユニットの加工プロセス。
【請求項１４】
カメラモジュールであって、
請求項１〜８のいずれかに記載のレンズユニット、又は、
請求項９〜１３のいずれかに記載の加工プロセスにより取得されるレンズユニット、を
含む、
ことを特徴とするカメラモジュール。
【請求項１５】
電子機器であって、
スクリーンアセンブリと、請求項１４に記載のカメラモジュールと、を含み、
前記スクリーンアセンブリは、前記レンズ群の、筒壁から突出される部分を穿設する開口を含む、
ことを特徴とする電子機器。
【請求項１６】
前記スクリーンアセンブリは、ディスプレイパネルを含み、前記ディスプレイパネルの対応するディスプレイ縁部領域は、前記電子機器の縁部領域と結合され、前記開口は、前記ディスプレイパネルに位置する、
ことを特徴とする請求項１５に記載の電子機器。
【発明の詳細な説明】
【技術分野】
【０００１】
本開示は、端末技術分野に関し、特にレンズユニット、レンズユニット加工プロセス、カメラモジュール及び電子機器に関する。
【背景技術】
【０００２】
現在、端末分野における各種技術の急速の発展に伴い、ユーザの電子機器の各機能及び美観に対する要求も徐々に増加している。例えば、ユーザが、電子機器の正面の表示領域をできる限り大きくする場合にも、フロントカメラで自撮り又はビデオ撮影できることが望まれている。
【発明の概要】
【発明が解決しようとする課題】
【０００３】
本開示は、レンズユニット、レンズユニット加工プロセス、カメラモジュール及び電子機器を提供して、関連技術における欠陥を解決する。
【課題を解決するための手段】
【０００４】
本開示の実施例に係る第１の側面において、レンズユニットを提供し、筒壁と前記筒壁によって囲まれて形成された係止溝とを含む鏡筒と、前記係止溝に係合して固定され、レンズ群の外部光線が入射される一端が前記筒壁の端面から突出されるレンズ群と、を含む。
【０００５】
選択可能に、前記レンズ群は、間隔を空けて配置される第１レンズ群と第２レンズ群とを含み、前記第１レンズ群と前記第２レンズ群は、対応する係止溝にそれぞれ係合され、その中、外部光線は、前記第１レンズ群から前記第２レンズ群に入射され、前記第１レンズ群の少なくとも一部は、前記鏡筒の端面から突出される。
【０００６】
選択可能に、前記第１レンズ群は、一つ又は複数のレンズを含み、前記第１レンズ群が複数のレンズを含む場合、前記複数のレンズは、外部光線の入射方向に沿って順次に接続される。
【０００７】
選択可能に、前記第１レンズ群は、第１レンズと、前記第１レンズに接続される第２レンズを含み、前記外部光線は、前記第１レンズから前記第２レンズに入射され、前記第２レンズは、前記係止溝に係合して固定される。
【０００８】
選択可能に、前記レンズ群は、順次に配列された複数のレンズを含み、前記複数のレンズのうち隣接して配列されるレンズの間は固定的に接続されている。
【０００９】
選択可能に、前記レンズ群は、隣接するレンズを位置決めするために、前記レンズ群に含まれるレンズが光線の入射方向に沿って凹むことによって形成される陥凹部を含む。
【００１０】
選択可能に、前記レンズ群に含まれる接続状態である隣接するレンズの間は、接着方式により接続される。
【００１１】
選択可能に、前記レンズ群は、隣接するレンズを位置決めするために、前記レンズ群に含まれるレンズが光線の入射方向に沿って凹むことによって形成される陥凹部を含む。
【００１２】
選択可能に、前記レンズ群に含まれる少なくとも一つのレンズの縁部領域に付着され、余計な光線を遮断するための遮光層をさらに含む。
【００１３】
本開示の実施例に係る第２の側面において、レンズの加工プロセスを提供し、前記レンズユニットは、鏡筒と、レンズ群とを含み、前記加工プロセスは、前記レンズ群を前記鏡筒内の係止溝に固定し、前記レンズ群の、外部光線が入射される一端を前記鏡筒の端面から突出させ、前記レンズ群を消光処理し、レンズユニットを取得することを含む。
【００１４】
選択可能に、前記レンズ群は、順次に配列された複数のレンズを含み、前記レンズ群を前記鏡筒内の係止溝に固定することは、隣接して配列されるレンズを接続して前記レンズ群を取得して、前記レンズ群を前記係止溝に固定することを含む。
【００１５】
選択可能に、前記レンズ群は、間隔を空けて配置される第１レンズ群と第２レンズ群とを含み、外部光線は、前記第１レンズ群から前記第２レンズ群に入射され、前記レンズ群を前記鏡筒内の係止溝に固定することは、前記第２レンズ群を前記鏡筒内の対応する係止溝に固定し、前記第１レンズ群を前記鏡筒内の対応する係止溝に固定して、前記第１レンズ群の一部を前記鏡筒の端面から突出させることを含む。
【００１６】
選択可能に、前記第１レンズ群が複数のレンズを含む場合、前記レンズ群を前記鏡筒内の係止溝に固定することは、隣接して配列されるレンズを接続して前記第１レンズ群を取得することを含む。
【００１７】
選択可能に、隣接して配列されるレンズを接続することは、隣接するレンズの対向設置された表面を接着剤によって接着することを含む。
【００１８】
本開示の実施例に係る第３の側面において、カメラモジュールを提供し、上記のいずれかの実施例に記載のレンズユニットと、又は、上記のいずれかの実施例に記載の加工プロセスにより取得されたレンズユニットと、を含む。
【００１９】
本開示の実施例に係る第４の側面において、電子機器を提供し、上記の実施例に記載のカメラモジュールと、スクリーンアセンブリとを含み、前記スクリーンアセンブリは、前記レンズ群の、前記筒壁から突出される部分が穿設する開口を含む。
【００２０】
選択可能に、前記スクリーンアセンブリは、ディスプレイパネルを含み、前記ディスプレイパネルの対応するディスプレイ縁部領域は、前記電子機器の縁部領域と結合され、前記開口は、前記ディスプレイパネルに位置する。
【発明の効果】
【００２１】
本開示の実施例より提供される技術案は、以下の有益な効果を含むことができる。
上記の実施例から、本開示におけるレンズ群の、外部光線が入射される一端が鏡筒の筒壁の端面から突出され、すなわちレンズ群の一端の外側は、筒壁に囲まれていなく、レンズ群が完全に鏡筒内に封入されることに対して、鏡筒の端部の体積を小さくすることができ、レンズユニットの小型化に有利であり、特に、レンズユニットを電子機器のフロントカメラとする場合、電子機器の、スクリーンアセンブリにレンズユニットが穿設される開口サイズを小さくすることができ、画面占有率を向上させることに有利であることが分かる。
【００２２】
なお、上記の一般的な説明及び後述した詳細な説明は、例示的、且つ解釈的なものであり、本開示を限定するものにおいてない。
【図面の簡単な説明】
【００２３】
ここの図面は、本明細書に組み込まれて本明細書の一部を構成し、本開示に適用される実施例を示しており、本明細書と共に本開示の原理を説明する。
【００２４】
【図１】例示的な実施例により示されるレンズユニットの概略構成図である。
【図２】例示的な実施例により示される別のレンズユニットの概略構成図である。
【図３】例示的な実施例により示される別のレンズユニットの概略構成図である。
【図４】例示的な実施例により示されるレンズユニットの加工プロセスのフローチャートである。
【図５】例示的な実施例により示される電子機器の概略構成図である。
【図６】例示的な実施例により示される電子機器の概略断面図である。
【図７】例示的な実施例により示される別の電子機器の概略構成図である。
【発明を実施するための形態】
【００２５】
ここにおいて、図面に示されている例示的な実施例を詳しく説明する。以下の説明は、図面に係る場合に、他の示しがない限り、異なる図面における同一の数字は、同一又は類似の要素を表す。以下の例示的な実施例に記載されている実施形態は、本発明と一致する全ての実施形態を表すものにおいてない。それらは、添付の特許請求の範囲に詳しく記載された本発明の一部と一致する装置及び方法の例だけである。
【００２６】
本開示に使用された用語は、単に特定の実施例を記述するためのものに過ぎず、本開示を限定するものにおいてない。本開示及び特許請求の範囲に使用された単数形である「一種」、「前記」、及び「当該」も、他の意味を表すと明らかに記載しない限り、複数形も含む。さらに、本開示に使用された用語「及び／または」とは、１つまたは複数の列挙された関連項目の任意または全ての可能な組合せを含むことであると理解されるべきである。
【００２７】
本開示において、用語である第１、第２、第３などを用いて各種情報を記述する可能性があるが、これらの情報はこれらの用語に限定されないと理解されるべきである。これらの用語は、単に同一種類の情報を互いに区分するためのものに過ぎない。例えば、本開示の範囲を逸脱しない場合、第１情報は、第２情報と称されてもよく、同様に、第２情報は、第１情報と称されてもよい。言語環境によって、例えば、ここで使用される言葉である「場合」は、「…ときに」または「…際に」または「決定に応答する」と解釈されてもよい。
【００２８】
図１は、例示的な実施例により示されるレンズユニットの概略構成図である。図１に示すように、レンズユニット１００は、鏡筒１と、当該鏡筒１に結合されたレンズ群２とを含むことができる。その中、鏡筒１は、筒壁１１と、筒壁１１によって囲まれて形成された係止溝１２とを含むことができ、当該係止溝１２は、レンズ群２に係合して固定されるため、レンズ群２を固定でき、位置を制限することができる。レンズ群２は、圧入機器によって係止溝１２内に圧入され、固定を実現することができ、又は、当該係止溝１２に係合構造を設置することによってレンズ群２を固定することができる。
【００２９】
その中、レンズ群２の、外部光線が入射される一端は、筒壁１１の端面に突出し、すなわちレンズ群２の、外部光線が入射される一端は、筒壁１１に囲まれていないため、レンズ群２が完全に鏡筒１内に封入されることに対して、鏡筒１の端部の体積を小さくすることができ、レンズユニット１００の小型化に有利であり、特に、レンズユニット１００を電子機器のフロントカメラとする場合、電子機器の、スクリーンアセンブリにレンズユニット１００が穿設される開口サイズを小さくすることができ、画面占有率を向上させることに有利である。
【００３０】
一実施例において、図１に示すように、レンズ群２は、第１レンズ群２１と第２レンズ群２２とを含むことができ、当該第１レンズ群２１と第２レンズ群２２は、外部光線の入射方向Ａに沿って間隔を空けて配置される。外部光線は、第１レンズ群２１から第２レンズ群２２に入射して、第２レンズ群２２から出射することができ、第１レンズ群２１の少なくとも一部は、筒壁１１の端面に突出する。
【００３１】
その中、当該第１レンズ群２１と第２レンズ群２２は、それぞれ対応する係止溝に係合して固定されることができる。例えば、図２に示すように、係止溝は、第１係止溝１２１と第２係止溝１２２とを含むことができ、その中、第１係止溝１２１は第１レンズ群２１と直接係合して固定され、第２係止溝１２２と第２レンズ２２との間に係合して固定される。
【００３２】
在本実施例において、第１レンズ群２１は、図１に示すように、一つのレンズのみを含むことができ、又は、第１レンズ群２１は、複数のレンズを含むことができ、当該複数のレンズは、外部光線の入射方向Ａに沿って順次に接続されてもよい。例えば、図２に示すように、第１レンズ群２１は、第１レンズ２１１と、第１レンズ２１１に接続された第２レンズ２１２とを含むことができ、外部光線は、第１レンズ２１１から第２レンズ２１２に入射することができ、当該第２レンズ２１２は、係止溝に係合して固定されることができ、第１レンズ２１１は筒壁１１の端面に完全に突出することができ、又は第１レンズ２１１は、筒壁１１の端面に一部突出することもでき、隣接するレンズの間は、接着方式で接続することができ、例えば、第１レンズ２１１は、第２レンズ２１２に対向して設置された二つの表面が接着される。
【００３３】
なお、上記の実施例において、第２レンズ群２２は、一つのレンズ又は複数のレンズを含むこともでき、第２レンズ群２２が複数のレンズを含む場合、各レンズと隣接するレンズとの間は、接続してもよいし、一定の間隔が存在してもよく、ここでは詳しく説明しない。その中、隣接するレンズの間は、接着方式で接続することができ、本開示はこれらを限定しない。
【００３４】
他の実施例において、図３に示すように、レンズ群２は、順次に配列された複数のレンズを含むことができ、各レンズと隣接するレンズとの間は、固定的に接続されている。すなわち、レンズユニット１００に含まれるすべてのレンズは、厚さ方向に沿って接続して積層され、一つの全体が得られ、その後、鏡筒１の係止溝１２と係合して固定され、レンズ群２上の筒壁１１端面に突出する長さをできるだけ長くする。例えば、レンズ群２は、第３レンズ２３と、第４レンズ２４と、第５レンズ２５と、及び第６レンズ２６とを含むことができ、かつレンズ群２は、第３レンズ２３と、第４レンズ２４と、第５レンズ２５と、及び第６レンズ２６が順次に接続され、第３レンズ２３が筒壁１１の端面に完全から突出され、第４レンズ２４の一部が筒壁１１の端面から突出されることを含むことができる。
【００３５】
上記の各実施例において、図３に示すように、レンズ群２は、陥凹部２７をさらに含むことができ、当該陥凹部２７は、隣接するレンズを位置決めするために、レンズ群２に含まれるレンズが光線の入射方向に沿って凹むことによって形成されることができる。
【００３６】
例えば、図２に示す実施例において、陥凹部２７は、第２レンズ２１２が光線の入射方向に凹むことによって形成されることができ、第１レンズ２１１の一部は、当該陥凹部２７の内部に設置されるため、第１レンズ２１１と第２レンズ２１２との間の相対位置関係を決定する。また、例えば、図３に示すように、陥凹部２７は、第４レンズ２４が外部光線の入射方向に沿って凹むことによって形成されることができ、当該陥凹部２７の数は複数であってもよく、例えば、図３に示すように、第６レンズ２６は、外部光線の入射方向Ａに沿って陥凹して陥凹部２７を形成することもできる。
【００３７】
本開示の技術案に基づいて、図３に示すように、レンズユニット１００は、余計な光線を遮断して、カメラモジュールの結像に影響することを避けるように、レンズ群２に含まれる少なくとも一つのレンズの縁部領域に付着される遮光層３をさらに含むことができる。例えば、図３に示すように、遮光層３は、各レンズの縁部領域に形成することができる。その中、当該遮光層３は、レンズの外部光線が入射される表面に形成されてもよく、レンズの外部光線が出射する表面に形成されてもよく、レンズの入射表面と出射表面のいずれも遮光層３が形成されてもよい。本開示はこれらを限定しない。その中、当該遮光層３は、インク塗布プロセスによって加工して形成されてもよい。
【００３８】
本開示の技術案に基づいて、レンズユニット１００の加工プロセスをさらに提供し、図４に示すように、当該加工プロセスは、以下のステップを含むことができ、
ステップ４０１において、レンズ群２を鏡筒１の係止溝１２に固定して、レンズ群２の、外部光線が入射される一端を鏡筒１の端面から突出させる。
【００３９】
在本実施例において、鏡筒１は、筒壁１１を含むことができ、当該レンズ群２の、外部光線が入射される一端は、筒壁１１の端面に突出する。
【００４０】
一実施例において、レンズ群２が順次に配列された複数のレンズを含む場合、まず、隣接して配列されるレンズを接続してレンズ群２を取得することができ、その後、取得されたレンズ群２を鏡筒１の係止溝１２に固定する。
【００４１】
他の実施例において、レンズ群２は、外部光線の入射方向に間隔が存在する第１レンズ群２１と第２レンズ群２２とを含み、外部光線は、第１レンズ群２１から第２レンズ群２２に入射することができる。その中、第２レンズ群２２は、鏡筒１内に対応する係止溝に固定されることができ、第１レンズ群２１は、鏡筒１内に対応する係止溝に固定されることができ、第１レンズ群２１の一部が鏡筒１の端面から突出される。
【００４２】
その中、第１レンズ群２１が複数のレンズを含む場合、外部光線の入射方向に沿って隣接のレンズを順次に接続して、第１レンズ群２１を取得することができ、その後、第１レンズ群２１を鏡筒１内に対応する係止溝に装着することができる。
【００４３】
上記の実施例において、隣接するレンズの間は、接着剤によって接着する方式で固定することができる。
【００４４】
ステップ４０２において、レンズ群２を消光処理し、レンズユニット１００を取得する。
【００４５】
本実施例において、レンズ群２に遮光層３を形成し、当該遮光層３によって外部の余計な光線を遮断することによって、鏡筒１の結像品質を向上させることができる。その中、当該遮光層３は、インク塗布プロセスによってレンズ群２に含まれるレンズに形成することができ、例えば、レンズの縁部領域に形成することができる。
【００４６】
本開示の技術案に基づいて、カメラモジュールをさらに提供し、当該カメラモジュールは、上記のいずれかの実施例に記載のレンズユニットを含むことができるか、又は、当該カメラモジュールは、図４に示すプロセスにより形成される鏡筒を含むことができる。さらに、当該カメラモジュールは、イメージセンサ、モータなどの電子部品をさらに含むことができる。
【００４７】
その中、カメラモジュールは、電子機器に装着されることができ、図５に示す携帯端末２００を一例として電子機器を詳細に説明する。図５に示すように、カメラモジュールは、携帯端末２００の内部に取り付けられ、携帯端末２００のフロントカメラとして、ユーザは当該カメラモジュールによって自撮り又はビデオ撮影をすることができる。その中、携帯端末２００は、スクリーンアセンブリ２０１を含むことができ、図６に示すように、当該スクリーンアセンブリ２０１は、レンズ群２の筒壁１１から突出される部分を穿設する開口２０１１を含むことができ、筒壁１１が開口を穿設する必要とすることについて、開口２０１１の大きさを小さくすることができ、スクリーンアセンブリ２０１の強度を向上させ、画面占有率を向上させることに有利である。
【００４８】
一実施例において、図６に示すように、スクリーンアセンブリ２０１は、ディスプレイパネル２０１２と、ディスプレイパネル２０１２と結合されるフロントパネル２０１３とを含むことができる。その中、ディスプレイパネル２０１２は、携帯端末２００の画像情報を表示することに用いられることができ、フロントパネル２０１３は、ディスプレイパネル２０１２の周囲に位置する遮蔽領域を含むことができ、携帯端末２００内部の回路基板及び関連電子部品を遮蔽することに用いられ、開口２０１１は、フロントパネル２０１３の遮断領域に設けられてもよく、開口２０１１は、ディスプレイパネル２０１２に設けられてもよい。
【００４９】
他の実施例において、図７に示すように、スクリーンアセンブリ２０１は、ディスプレイパネル２０１２を含むことができ、当該ディスプレイパネル２０１２に対応するディスプレイ領域の縁部は、基本的に携帯端末２００の縁部と結合し、このとき、開口２０１１は、ディスプレイパネル２０１２に位置し、筒壁１１は、開口２０１１を穿設する必要がないため、携帯端末２００の画面占有率をさらに向上させることができる。
【００５０】
当業者は、明細書を考慮して本明細書に開示されたものを実施して、本発明の他の実施例を容易に想到する。本願は、本開示の任意の変形、用途又は適宜な変更を含むことを意図しており、これらの変形、用途又は適宜な変更は、本開示の一般的な原理に従うものであるとともに、本開示に開示されていない当技術分野における周知技術又は通常の技術手段を含む。明細書及び実施例は単なる例示的なものとみなされ、本発明の本当の範囲及び趣旨は以下の特許請求の範囲によって示される。
【００５１】
なお、本開示は、以上に既に説明され、図面に示された精確な構成に限定されるものではなく、本発明の範囲から逸脱しない範囲で、様々な修正及び変更をすることができる。本開示の範囲は、添付の特許請求の範囲のみによって限定される。
【図１】
0006861836.tif 000002
【図２】
0006861836.tif 000003
【図３】
0006861836.tif 000004
【図４】
0006861836.tif 000005
【図５】
0006861836.tif 000006
【図６】
0006861836.tif 000007
【図７】
0006861836.tif 000008